(57)【要約】【課題】前工程の植付条止め植付けによるマルチ移植作業時に切離された余り部分のマルチシートを、次工程の植付開始前に圃場から撤去することができるマルチ移植機を提供する。【解決手段】マルチシート敷設機構９ａによって敷設したマルチシートＳに植付作業機９によって苗を植付け、該植付作業機９の後方で敷設のマルチシートＳを横切断するシート幅カッタ装置１９と、敷設のマルチシートＳを縦切断する条間カッタ５０を有するマルチ移植機であって、前記シート幅カッタ装置１９による横切断位置の後方に、条間カッタ５０を植付作業機９の植付条止めに対応して生ずる未植区と既植区との条間位置に向け横移動且つ固定可能に設けることにより、植付条止めによる未植区に敷設された余り部分のマルチシートＳを除去可能に縦切断させる構成にした。【選択図】図３
2018068158.tif 000002
【特許請求の範囲】
【請求項１】
走行機体（１）に、走行に伴って圃場面を覆うようにマルチシート（Ｓ）を繰り出して敷設するマルチシート敷設機構（９ａ）と、敷設されたマルチシート（Ｓ）上から苗を植付ける植付作業機（９）と、該植付作業機（９）の後方で敷設のマルチシート（Ｓ）を幅方向に横切断するシート幅カッタ装置（１９）と、敷設のマルチシート（Ｓ）を敷設方向に縦切断する条間カッタ（５０）を有する条間カッタ装置（２０）とを備えたマルチ移植機において、
前記シート幅カッタ装置（１９）による横切断位置の後方に、条間カッタ（５０）を植付作業機（９）の植付条止めに対応して生ずる未植区と既植区との条間位置に向け横移動且つ固定可能に設けることにより、植付条止めによる未植区に敷設された余り部分のマルチシート（Ｓ）を除去可能に縦切断させることを特徴としている。
【請求項２】
前記条間カッタ（５０）を、敷設のマルチシート（Ｓ）を縦切断する作業姿勢と、植付作業機（９）の上方側に向けて退避移動させる退避姿勢とに切換自在に設ける請求項１記載のマルチ移植機
【発明の詳細な説明】
【技術分野】
【０００１】
本発明は、マルチ移植作業時にマルチシートを敷設方向に縦切断する条間カッタ装置を備えたマルチ移植機に関する。
【背景技術】
【０００２】
従来、機体の走行に伴いマルチシート敷設機構から繰り出したマルチシートを植付作業機の後方で圃場面に敷設し、敷設されたシート上から植付爪によって苗を植付けるマルチ移植機が既に公知である。（例えば特許文献１参照）。
上記マルチ移植機は、敷設したシートを横切断するシート横カッタ部を植付作業機の後方に配設し、植付作業機の植付条止め植付けに対応して生ずるマルチシートの余り部分を切断する切断刃（条間カッタ）を、走行機体の前部で機腹下方に設けることにより、前工程で敷設されたマルチシートの余り部分を前輪の走行予定地前方で縦切断する構成になっている。
【先行技術文献】
【特許文献】
【０００３】
【特許文献１】特開２００５−２１００９号公報
【発明の概要】
【発明が解決しようとする課題】
【０００４】
上記特許文献１に示されるマルチ移植機は、前工程の植付条止め植付け時に敷設されたマルチシートの余り部分を縦切断して圃場面に残置するため、その後、走行車輪等が通過してきても既植苗側のマルチシートの引きずり込みを防止し既植苗の損傷を回避する等の利点がある一方で、上記余り部分のシートは次工程で敷設されるマルチシートの下方で余り幅と長さを有する帯状となって重なった重合状態で残置されたまま苗が植付けられる欠点がある。
即ち、次工程マルチ移植作業時に植付作業機の植付爪は、２枚のマルチシートの帯状重合部分を突き破って苗を植付けるため、植付負荷が大きくなると共に植付け姿勢に乱れが発生し易くなる。また重合するマルチシートは、湛水や強風の影響及び歩行作業等によって相互のシートズレを生じ易く、このため苗の植付初期に傾倒や損傷を付与し生育を妨げる等各種植付作業の阻害要因を伴う問題がある。
さらに、走行機体の前部機腹下に配設される条間カッタ装置は、条間カッタを作業姿勢と退避姿勢にするための切換構造及び格納構造が煩雑化しコスト高になる等の課題もある。
【課題を解決するための手段】
【０００５】
上記課題を解決するための本発明のマルチ移植機は、第１に、走行機体１に、走行に伴って圃場面を覆うようにマルチシートＳを繰り出して敷設するマルチシート敷設機構９ａと、敷設されたマルチシートＳ上から苗を植付ける植付作業機９と、該植付作業機９の後方で敷設のマルチシートＳを幅方向に横切断するシート幅カッタ装置１９と、敷設のマルチシートＳを敷設方向に縦切断する条間カッタ５０を有する条間カッタ装置２０とを備えたマルチ移植機において、
前記シート幅カッタ装置１９による横切断位置の後方に、条間カッタ５０を植付作業機９の植付条止めに対応して生ずる未植区と既植区との条間位置に向けて横移動且つ固定可能に設けることにより、植付条止めによる未植区に敷設された余り部分のマルチシートＳを撤去可能に縦切断させることを特徴としている。
第２に、前記条間カッタ５０を、敷設のマルチシートＳを縦切断する作業姿勢と、植付作業機９の上方側に向けて退避移動させる退避姿勢とに切換自在に設けることを特徴としている。
【発明の効果】
【０００６】
請求項１の発明によれば、走行機体に、マルチシートを繰り出して敷設するマルチシート敷設機構と、敷設されたマルチシート上から苗を植付ける植付作業機と、該植付作業機の後方で敷設のマルチシートを横切断するシート幅カッタ装置と、敷設のマルチシートを縦切断する条間カッタ装置とを備えたマルチ移植機において、前記シート幅カッタ装置による横切断位置の後方に、条間カッタを植付作業機の植付条止めに対応して生ずる未植区と既植区との条間位置に向けて横移動且つ固定可能に設けることにより、植付条止めによる未植区に敷設された余り部分のマルチシートを撤去可能に縦切断させることにより、
前工程の植付条止め植付けによるマルチ移植作業時に切離された余り部分のマルチシートを次工程の植付開始前に圃場から撤去することができるので、次工程で敷設されるマルチシートとの重合を防止することができ、余り部分のマルチシートが次工程路内に残ることによる植付作業の阻害要因を無くすことができると共に、苗の育成を妨げることなく好適にすることができる。
請求項２の発明によれば、前記条間カッタを、敷設のマルチシートを縦切断する作業姿勢と、植付作業機の上方側に向けて退避移動させる退避姿勢とに切換自在に設けることにより、
条間カッタは作業姿勢において、シートカッタの切断位置後方に接近した位置で敷設されるマルチシートの左右方向所望位置を確実に縦切断することができる。また退避姿勢に切換える条間カッタは、植付作業機上方の広い背後スペースを利用し無理なく近接させて固定支持できるため、条間カッタ装置の構造を複雑化させることなく簡潔で安価な構成にすることができると共に、マルチシートの縦切断を要しない植付作業並びに路上走行等をスムーズに行うことができる。
【図面の簡単な説明】
【０００７】
【図１】カッタフレームを有するマルチ移植機の全体側面図である。
【図２】カッタフレームに条間カッタ装置を取付けたマルチ移植機の要部側面図である。
【図３】マルチ移植機の作業態様を示す全体平面図である。
【図４】条間カッタ装置の要部の構成を示す斜視図である。
【発明を実施するための形態】
【０００８】
図１〜図３はマルチ移植機(田植機)の全体側面図，要部側面図、全体平面図であり、前後輪２，３に支持された走行機体１の機体フレーム４上には運転席６及び運転ステップ７が備えられており、また上記走行機体１後方には昇降リンク８を介して移植作業機である植付作業機９が昇降及びローリング自在に取り付けられている。そして、上記植付作業機９には上端が前傾する１１が斜設されており、またプランターケース１２には該苗載台１１の背面下端のマット苗を走行機体１の走行に伴って順次掻き取って移植する植付爪（ビーク）１３ａ等を備える公知の植付部１３が付設されている。
【０００９】
一方、上記植付作業機９の底面には、昇降リンク８の揺動を自動制御して植付作業機９を所定高さに支持せしめるセンサーローラ１４がイコライザアーム１６により横設支持されるとともに、該センサーローラ１４の前方上部位置には、段ボール紙の再生紙等よりなるマルチシートがロール状に形成されたシートロールを回転自在に左右方向に内蔵軸支する筒状のシートケース１８が取り付けられている。
【００１０】
そして上記構造のマルチ移植機は、植付作業機９を所定高さに支持せしめるように圃場面上に降ろし、走行機体１の走行に伴いシートロールからマルチシート敷設機構９ａを介し、マルチシートＳを順次後方に繰り出して圃場面を被覆しながら、実施形態では６条植付け型の植付部１３の６本の植付爪１３ａにより、マット苗から掻き取った苗を被覆されたマルチシートＳの上から植え付け、圃場に６条分の苗の移植（マルチ移植）作業を行うようにしている。尚、実施形態のマルチシートＳは経時的分解性を有する作物育成用の紙シートにしているが他の特性を有するシートにすることもできる。
【００１１】
そして、マルチ移植機は植付作業機９の後部に、敷設されるマルチシートＳを幅方向に横切断するシート幅カッタ装置１９と、敷設されるマルチシートＳを敷設方向に縦切断する本発明に係る条間カッタ装置２０とを後述する構成によって設置している。尚、上記シート幅カッタ装置１９は、従来のものと同様な構成によって植付作業機９の左右側方で揺動自在に軸支されるカッターアーム２１,２１の後端にシート幅切断用のシートカッタ２２を植付爪１３ａに接近させた後方位置に設けている。
【００１２】
先ず、マルチシートＳのシート幅カッタ装置１９と予備ロール供給手段について図２,図３を参照し説明する。圃場の田面等を畔際の枕地を介して往復走行して行うマルチ移植作業において、シート幅カッタ装置１９のシートカッタ２２は往路及び復路のシート敷設（被覆）終了時点で、オペレータがカッターアーム２１の後端を前方の軸支部を支点に昇降揺動操作することにより、シートケース１８から繰り出されて圃場面に敷設されたマルチシートＳを、下降する横長のシートカッタ２２の刃先によって切断しシートケース１８側と切離する。これによりマルチ移植機は、植付作業機９を上昇させた状態で枕地を旋回走行し次位（復路）のマルチ移植作業を連続して行う。
【００１３】
一方、予備ロール供給手段としての前記シートケース１８は、その左右両端を従来同様の構成によって開閉回動自在にしており、いずれかの端部を開口させることで、この開口したいずれかの端部からシートケース１８内にシートロールを挿入することができ、また側方からシートケース１８内にシートロールを挿入することで、シートロールの交換（補給）を行うようにしている。
【００１４】
そして、実施形態の走行機体１の左右両側方には、マルチシート交換（補給）用のシートロールである予備ロール２３を支持する支持装置２４が設けられており、後述するように予備ロール２３を支持装置２４からシートケース１８にシートケース１８の側方から移動させることでシートロールの交換を行なうことができる。尚、本実施形態の支持装置２４は走行機体１の左右側方に１つずつ、計２本の予備ロール２３を搭載することができるように構成されている。
【００１５】
上記支持装置２４は、後輪３のアクスルケース２６から立設された縦ステー２７，該縦ステー２７の上端側に支持された左右方向の横ステー２８，該横ステー２８の左右端側に設けられたホルダ２９，左右のホルダ２９にそれぞれ取り付けられた杆状の支持フレーム３１等から構成されており、予備ロール２３を左右の支持フレーム３１に各支持せしめて支持装置２４に装着する構造となっている。尚、両ホルダ２９は走行機体１の後方側に位置している。
【００１６】
また上記支持フレーム３１は一端に設けられたボス３１ａがホルダ２９に設けられた支点軸３０に回動自在に外嵌されて、ホルダ２９に回動自在に取り付け支持されており、予備ロール２３と支持フレーム３１とが互いに略平行に沿い、互いの軸線が略平行となるように予備ロール２３を支持せしめる構成となっている。即ち、予備ロール２３は、支持装置２４に装着された状態においては支持フレーム３１に略平行に沿い、該支持フレーム３１は上記のように走行機体１の後方側を回動支点として、他端（自由端）側が走行機体１に対して左右方向に開閉回動自在に支持されている。
【００１７】
そして、支持フレーム３１は、図３に示されるように予備ロール２３及び支持フレーム３１が走行機体１の側方に沿う予備ロール格納姿勢位置Ａと、予備ロール２３及び支持フレーム３１がシートケース１８の軸線に略沿う（略平行となる）ように走行機体１に対して交差する方向に姿勢変位した予備ロール供給姿勢位置Ｂとに姿勢切換回動自在となっている。これにより植付作業機９を上昇せしめ、支持フレーム３１を供給姿勢位置Ｂとすると、予備ロール２３とシートケース１８の軸線がほぼ一致し、予備ロール２３をシートケース１８内に直線的に挿入することができシートロールの交換を行い易くしている。
【００１８】
尚、実施形態の植付作業機９は、走行機体１側から図示しないＰＴＯ軸や中間軸等を介して伝動すると共に在来のものと同様な植付け条止め機構を備えており、全６条分の苗の植付けを行うと共に、図示しない植付条止めレバーの選択操作によって所望数の植付爪１３ａの植付動作を停止した状態で、残り条の植付爪１３ａによって苗を植付ける条止め植付作業を行うことができるようにしている。これによりオペレータは、例えば、１つの圃場で往復植付け工程作業を行うとき、その最終工程のマルチ移植作業で全条（６条）の植付作業を行いたい場合に、その前工程で植付けるべき条数を定め、残りの非植付け条数だけ条止めをして植付条止めによる植付作業を行うことができる。そして、次工程で全条の植付けを行うことにより未植条条漏れを少なくし苗を効率よく植付けると共に、枕地での回り植え作業を能率よく行うことができる。
【００１９】
次に、条間カッタ装置２０について図１〜図４を参照し詳述する。この条間カッタ装置２０は、敷設されたマルチシートＳを前記シートカッタ２２の切断位置後方において、敷設方向（走行方向）に沿って縦方向に切断する円盤鋸型の条間カッタ５０を回転自在に備えるカッタアーム５１等からなるカッタユニット２０ａと、植付作業機９の左右に着脱自在に取付けられて、上記カッタユニット２０ａを左右方向移動及び上下方向に姿勢変更可能に支持するカッタフレーム５２等から構成している。
【００２０】
先ず、カッタフレーム５２は図２〜図４に示すように、基部を植付作業機９に横設される作業機体フレーム５３の左右両端に、それぞれ着脱自在に固設されるフレームアーム５２ａ，５２ａと、該左右のフレームアーム５２ａ，５２ａの後端部を連結する角パイプ材による横向きのカッタ支持バー５５とによって、平面視で門型状をなす剛体フレームにしている。
【００２１】
この構成においてカッタ支持バー５５には、カッタユニット２０ａを作業姿勢と退避姿勢とに切換え自在に取付ける取付具５６を左右移動調節及び固定可能に設けることにより、条間カッタ５０を幅方向所定位置に調節できる切断位置調節手段を構成している。実施形態の切断位置調節手段は図３,図４に示すように、カッタ支持バー５５に取付具２７を取付ける取付軸５７を抜き差し自在に固定する複数（６個）のバー取付孔５８を、６条分の植付爪１３ａによる植付け条間隔と同じ条間幅を有して形成している。
【００２２】
取付具５６は、カッタ支持バー５５に対し後方から嵌合自在なコ字状のチャンネル部材からなる取付ベース６０と、該取付ベース６０の左右中間の所定上面部にアーム挿入間隔を有して上向きに立設される側面視扇型状のブラケット部６１とからなる。
そして、取付ベース６０には、その左右端側に前記取付軸５７を挿入自在な取付孔６０ａを条間隔を有して穿設している。またブラケット部６１には、扇型中心になる前方下部位置にアーム取付軸６２を着脱自在に挿入する取付孔６３と、該取付孔６３を中心とする円弧の下端と上端部にそれぞれ切換軸６４を抜き差し自在な作業孔６５と退避孔６６とを穿設している。
【００２３】
これにより取付具２７は、例えば図４に示すように、右側から２条位置と３条位置に対応する取付孔５８を選択して右側の取付軸５７を挿入固定することにより、実線で示す位置に固定した状態でカッタユニット２０ａを図３に実線で示す条間位置、つまり条間カッタ５０を苗植付け２条と３条目との間に形成される第２条間部の中間所定位置に位置決めすることができる。
【００２４】
この場合の条間カッタ５０は、敷設されているマルチシートＳの第２条間部の所定位置上を転動し、図３で示すように縦向きの切れ目ＳＫを敷設方向に連続的に切断形成し、右側シート部ＳＲと左側シート部ＳＬとに切離する。そして、後述する植付条止め作業態様によって苗が移植されない右側シート部ＳＲ側を余り部分のマルチシート（以下単に余りマルチシートＳ１と言う）として、圃場から簡単かつ容易に撤去することを可能にする。
【００２５】
また切断位置調節手段としての取付具２７は、条間カッタ５０を上記第２条間部から右側１条と２条目の間に形成される第１条間部に移動する場合には、各取付軸５７を抜いて取付ベース６０を右側スライド移動し右側取付孔６０ａと１条位置に対向するバー取付孔５８が合致した位置で取付軸５７を挿入固定したのち、左側取付軸５７を同様に挿入固定することによって行う。また条間カッタ５０を他の第３〜第５条間部に臨ませる場合も同様な操作態様によって行うことができる。
【００２６】
従って、１つの条間カッタ５０を植付作業機９の後部で左右に調節移動させる切断位置調節手段を備える条間カッタ装置２０は、在来の機体前部側に条間カッタ装置設けるもののように切断構造を複雑化させることなく、簡潔で安価な構成にすることもできる。
尚、上記切断位置調節手段はこれに限定することなく、例えば取付具２７を左右のフレームアーム５２ａ, ５２ａに横設したネジバーに螺装することにより、該ネジバーを回転させて取付具２７を左右移動調節可能な構成等にしてもよい。
【００２７】
さらに取付具２７は、カッタユニット２０ａを図２，図４に実線で示す作業姿勢から２点鎖線で示す退避姿勢に切換えるとき、先ず、切換軸６４を作業孔６５から抜いて固定を解除したカッタアーム５１を、アーム取付軸６２を支点に上方前方側に回動し、且つ切換軸６４が格納孔６６に合致する位置で挿入して固定する。またカッタユニット２０ａを退避姿勢から作業姿勢に切換える際には、上記とは逆順の操作によって行うことができる。
【００２８】
このように条間カッタ５０を、敷設のマルチシートＳを縦切断する作業姿勢と、植付作業機９の上方側に向けて退避移動させる退避姿勢とに切換自在に設ける条間カッタ装置２０は、作業姿勢において敷設されるマルチシートＳをシートカッタ２２の切断位置後方に可及的に接近した位置で、後方突出量を抑制しスムーズに縦切断をする。
また退避姿勢に切換える条間カッタ５０は、植付作業機９の上方に広い背後スペースを利用し苗載台１１側に無理なく近接させた安定姿勢に固定支持できるため、条間カッタ装置２０の構造を複雑化させることなく、マルチシートＳの縦切断を要しない植付作業及び路上走行等を行い易くすることができる。
【００２９】
次に、シート幅カッタ装置１９の横切断位置の後方に条間カッタ５０を備えたマルチ移植機によるマルチ移植作業について説明する。先ず、マルチ移植機は各圃場毎で、走行機体１を圃場の一側から畦に沿った往復走行を繰り返し他側の畔側に向けて植付作業を行う際に、走行に伴いマルチシート敷設機構９ａを介しシートロールからマルチシートＳを順次後方に繰り出して圃場面を被覆しながら、６本の植付爪１３ａにより苗載台１１下端側でマット苗から掻き取った苗を、マルチシートＳを通して全条の苗の植え付けを行う。
【００３０】
そして、上記のようなマルチ移植作業における各往路及び復路の敷設終了位置において、シート幅カッタ装置１９のカッターアーム２１を退避姿勢から前方の軸支部を支点に下降揺動操作する。これにより下降するシートカッタ２２は、圃場面に敷設されたマルチシートＳの繰り出し側を横切断し、シートケース１８側のマルチシートＳと敷設のマルチシートＳとを切離することができる。次いで、オペレータは、シート敷設を中断し且つ植付部１３の動作を停止した状態で植付作業機９を上昇操作し、圃場枕地で方向転換したのち次工程（復路）のマルチ移植作業を再開する。
【００３１】
次いで、マルチ移植機が他方（最終工程側）の畔際あるいは枕地部分に沿ってマルチ移植作業をする際に、最終工程の前工程（往路）で敷設するマルチシートＳの余り部分が例えば２条分だけ余るような場合には、図３で示すように、前工程において植付爪１３ａの動作を２条分だけ止める植付条止め操作をすることにより、４条分の植付爪１３ａの動作に基づく４条植付けを行うようにする。また条間カッタ装置２０の取付ベース６０を操作し、上記植付条止めに対応して生ずる１条目と２条目に相当する未植区と、苗が植付けられている既植区である３条目との条間位置（縦切断条間位置）に向け、条間カッタ５０を横移動して位置決め固定し、且つ作業姿勢に切換えたのち前工程の、マルチ移植作業を行う。
【００３２】
これにより条間カッタ５０は、シート幅カッタ装置１９に近接した後方で植付作業機９の植付条止めに対応して生ずる未植区と既植区との条間位置のマルチシートＳ上に臨み、走行に伴い回転しながら切れ目ＳＫを形成し、且つ植付条止めにより未植区に敷設された部分を余りマルチシートＳ１（右側シート部ＳＲ相当）として圃場内から撤去可能に縦切断することができる。
【００３３】
そして、敷設直後に縦切断されて分離する未植の余りマルチシートＳ１は、最終工程に入る前にオペレータ又は補助作業者によって、一側から引っ張り又は巻き取りをしながら近隣の畔に引き上げる等の除去作業によって圃場から撤去する。
次いで、オペレータは作業姿勢にある条間カッタ５０を退避姿勢に切換えると共に、植付条止めを解除したのち、余りマルチシートＳ１が撤去された状態の最終工程（復路）の圃場面に対し、全条のマルチシートＳの敷設と植付けをすることによりマルチ移植作業を完了する。
【００３４】
以上のように、シート幅カッタ装置１９による横切断位置の後方に、条間カッタ５０を植付作業機９の植付条止めに対応して生ずる未植区と既植区との条間位置に向け横移動且つ固定可能に設けるマルチ移植機は、植付条止めによる未植区に敷設された部分のマルチシートＳ（余りマルチシートＳ１）を縦切断するので、余りマルチシートＳ１を圃場に残置させることなく簡単且つ速やかに撤去することができる。従って、次工程で隣接して敷設されるマルチシートＳは、前工程で敷設されたマルチシートＳと広幅帯状の重合部分を生じさせることなく敷設できるので、従来のもののように余りマルチシートＳ１が広幅帯状に重合して次工程路内に残ることによる植付作業及び作物育成上の阻害要因を無くすことができる等の特徴がある。
【００３５】
また敷設直後に縦切断されて次工程開始前に速やかに除去作業が行われる余りマルチシートＳ１は、水田等においても濡れや汚れが僅少であること、及び車輪によって踏み込まれていないこと等によって田面から簡単に除去できると共に、シートちぎれを伴うことなくきれいに且つ省力的に撤去することができる。さらに、上記のように劣損なく回収することができる未植マルチシートＳは、畑や他所の防草用の資材として、また他用途への有効利用も可能にする等の利点を生ずる。
【００３６】
尚、実施形態の条間カッタ装置２０の取付具５６には、図２に示すカッタユニット２０ａに替えて、カッタアーム５１の後部に図４に示すように条間カッタ５０とシート回収装置６７を備えたカッタユニット２０ａを取付けることができる。この場合には、条間カッタ５０によって左側シート部ＳＬから切離される未植の右側シート部ＳＲを余りマルチシートＳ１（回収用シート）として順次巻き取ることができるので、シートの水濡れや汚れをより少なくした状態で除去作業を能率よく簡単に行うことができる。
【００３７】
即ち、図示例のカッタユニット２０ａは、カッタアーム５１の後部に形成した取付溝５１ａに、条間カッタ５０とシート回収装置６７とを回転自在に軸支する板状のユニットフレーム６８を、その前後方向に突設した取付板部６８ａと取付板部６８ｂとを択一的に差し込み、ボルト６９の締着を介して着脱及び反転取付け可能に構成している。
上記シート回収装置６７は、ユニットフレーム６８に軸支される回転軸７０をモータ７１によって駆動操作自在にしていると共に、回転軸７０の基部側に手回し型ハンドルを兼ねる円盤状の巻取り部材７２を固設し、該巻取り部材７２の巻取り側には軸方向に沿って回収用シート（余りマルチシート）Ｓ１を係止して巻取りを確実にする棒状の係止部材７３を設けている。
【００３８】
これによりマルチ移植作業に伴いシート回収装置６７は、縦切断に伴い切離される回収用シートＳ１を、回転軸７０と係止部材７３によって軸方向に係止した状態で順次上方に向けて速やかに巻き取ることができ、所定の巻取り径になった回収用シートＳ１を軸方向に抜き出して畔側に向けて撤去し回収することができる。
【００３９】
また左側シート部ＳＬが余りマルチシートになって回収用シートＳ１として巻き取る場合には、シート回収装置６７は前記取付板部６８ｂ側をカッタアーム５１に差し込み固定し回転軸７０側を左側に向けることにより、マルチ移植作業時に同様な除去作業を行うことができる。尚、上記各実施形態において条間カッタ５０は、電気的又は機械的な駆動力によって回転するようにしてもよく、また必要により条間カッタ５０の左右移動並びに作業姿勢と退避姿勢の切換え動作も動力的に行うことができる。
【符号の説明】
【００４０】
１  走行機体
９  植付作業機
９ａ  マルチシート敷設機構
１９  シート幅カッタ装置
２０  条間カッタ装置
２７  取付具
５０  条間カッタ
５２  カッタフレーム
５５  カッタ支持バー
Ｓ  マルチシート
【図１】
2018068158.tif 000003
【図２】
2018068158.tif 000004
【図３】
2018068158.tif 000005
【図４】
2018068158.tif 000006